(57)【要約】      （修正有）【課題】インパクトを伴う自然体に近い練習ができ、正しいテイクバックとインパクト時のヘッドスピードを自分のクラブで実感・体得できるゴルフ練習用補助具を提供する。【解決手段】シャフト６のグリップ４近傍に周着させる第１のクリップ１と、ヘッド５近傍に周着させる第２のクリップ２と、第１のクリップと第２のクリップ間に滑動可能・着脱自在に周着させるワッシャー３によって構成される。第１のクリップは磁石を有しワッシャーは磁性体を有する。ワッシャーは、テイクバック終了時に、シャフトが水平面に対して略垂直である時に自重により第２のグリップを離脱し、滑動・下降し、第１のクリップに撞着音を発しつつ撞止する。第１のクリップに磁力着接したワッシャーは、スイング動作の過程でヘッド方向に生じる遠心力が一定以上の大きさに達すると第１のクリップから脱離し、ヘッド方向に滑動し、第２のクリップに撞着音を発しつつ撞止する。【選択図】図１
0003198684.tif 000002
【実用新案登録請求の範囲】
【請求項１】
ゴルフクラブに装着して使用するゴルフ練習用補助具であって、
グリップ近傍のシャフトに着脱自在に周着させる第１のクリップと、
ヘッド近傍の前記シャフトに着脱自在に周着させる第２のクリップと、
前記シャフトに執着させた前記第１のクリップと前記第２のクリップ間を滑動可能・着脱自在に周着させるワッシャーと、
を有することを特徴とするゴルフ練習用補助具。
【請求項２】
前記ワッシャーの内径は前記シャフトのグリップ近傍部分の筒径と略同一であり、かつ、前記シャフトの前記ヘッド近傍部分の筒径より大きく、前記ヘッドが最下部にあるテイクバック始動時には前記第２のクリップに着接した前記ワッシャーは、前記ヘッドが最上部にくるテイクバック終了時において、前記シャフトが水平面に対して略垂直である時に自重により前記第２のグリップを離脱し、シャフト上をグリップ方向に滑動・下降し、スイング動作の開始前に前記第１のクリップに撞着音を発しつつ撞止することを特徴とする請求項１記載のゴルフ練習用補助具。
【請求項３】
前記第１のクリップは全部または一部に磁石を有し、
前記ワッシャーは全部または一部に磁性体を有し、
前記テイクバック終了時・スイング開始時に前記第１のクリップに磁力着接した前記ワッシャーは、スイング動作の過程で前記ヘッド方向に生じる遠心力が一定以上の大きさに達することにより前記第１のクリップから脱離し、前記シャフト上を前記ヘッド方向に滑動し、前記第２のクリップに撞着音を発しつつ撞止することを特徴とする請求項１又は２記載のゴルフ練習用補助具。
【請求項４】
前記第１のクリップは、磁力が異なる複数のクリップを選択し交換が可能であることを特徴とする請求項３記載のゴルフ練習用補助具。
【考案の詳細な説明】
【技術分野】
【０００１】
本考案は、ゴルフの練習時にクラブに取り付けて使用する補助具に関する。
【背景技術】
【０００２】
ドライバーなどを使用して飛距離を出すには、正しいフォームと速いヘッドスピードが必要となる。これを実現するためにシャフトに取り付ける練習用補助具として、スイングに負荷をかけるための錘やヘッドスピードを測るテスター等が市販されている。
【先行技術文献】
【特許文献】
【０００３】
【特許文献１】実用新案登録第３１５７０６３号
【特許文献２】実用新案登録第３１２３３４８号
【特許文献３】特開２００４−２２３１８７号公報
【特許文献４】実用新案登録第３１６７３６８号
【特許文献５】特開２０１２−５５２７号公報
【考案の概要】
【考案が解決しようとする課題】
【０００４】
特許文献１には、スイング時に使う筋肉の鍛錬を目的に、ヘッドに代わって錘を取り付けた素振り練習具が提案されている。しかし、バットのように思いクラブを振り回して筋肉を鍛えるだけでは、飛距離の増加には結びつかない。
【０００５】
これに対して、特許文献２には、シリコンゴム製の円筒チューブをシャフトに嵌めることにより、実際のインパクトを伴う付加スイングの練習ができる練習具が開示されている。しかしながら、実際に飛距離を出すには、筋肉をつけてスイング全体のヘッドスピードを上げるのではなく、インパクトゾーンでヘッドスピードが最大となる必要である。
【０００６】
特許文献３には、シャフトの先端に、スピードに応じて特定の音を発する特殊な構造を有する発音器具を設置して、インパクト直前に十分なスピードが出ているか否かを前記発音器具が発する音により感知することができる練習用クラブが開示されている。しかし、該練習用クラブは基本的に素振りタイプの練習具であるため、実際のインパクト時に練習時のヘッドスピードが実現できるかについての確証は得られない。
【０００７】
特許文献４には、グリップの上端部延長線上に筒状の固定具を設置した練習具についての考案が開示されている。該練習具は、グリップと身体との間に位置する前記固定具が身体に触れないようにして腕を伸ばしてスイングする練習を行うことにより、ヘッドが描く円弧を大きくしヘッドスピードを増加させることを狙ったものである。この考案は筋力増強だけでなく、正しいフォームを身に着けることによりヘッドスピードを上げることを狙った点は評価できるが、この練習具も素振り用であることから、インパクトゾーンでのヘッドスピードと正確なボールインパクトが実現するかは疑問である。
【０００８】
特許文献５には、錘をヘッド近辺に取り付け、ヘッド重量を上げることによってクラブ自体の回転作用を抑制し、正確なインパクトに直結する正しいスイングを会得するためのゴルフクラブ取付錘の発明が開示されている。しかしながら、この練習具も実際のインパクトを伴わない素振り練習用であるため、錘を外した際にスピードを伴った正確なインパクトができるかどうかわからない。
【０００９】
実戦において飛距離を伸ばすには、以下の２点を考慮した練習具が必要である。
第一に、テイクバック、スイング、インパクト、フォロースルーが一体となった練習をすることができる実戦的な練習具でなければならない。インパクトを伴わない素振り練習ではボールヒットの感覚を得ることができず、また、実際の飛距離を目にすることがないため効果を確かめながらの練習ができない。また、飛距離の増加はインパクトゾーンでのヘッドスピードによって実現するが、インパクトゾーンでのヘッドスピードは正しいテイクバックを起点として生まれる。これら一連の動作を体得することが可能な練習具が必要である。
【００１０】
第二に、実戦において使用する自分のクラブに設置可能な練習具でなければならない。練習器具を使っていても、いざ本番で使うのは自分のクラブである。自分のクラブでテイクバックからインパクトまでの感覚をつかむ必要がある。そのためには、自分のクラブに簡易に装着できる補助具が必要である。
【００１１】
上述の問題に鑑み、本考案においては、インパクトを伴う自然体に近い練習ができ、特に正しいテイクバックとインパクト時の速いヘッドスピードを自分のクラブで実感・体得することができるゴルフ練習用補助具を提供することを課題とする。
【課題を解決するための手段】
【００１２】
上記課題を解決するために、本考案に係るゴルフ練習用補助具は、シャフトのグリップ近傍に着脱自在に周着させる第１のクリップと、シャフトのヘッド近傍に着脱自在に周着させる第２のクリップと、シャフトの前記第１のクリップと前記第２のクリップ間に滑動可能・着脱自在に周着させるワッシャーと、によって構成される。
【００１３】
前記ワッシャーの内径はシャフトのグリップ近傍部分の筒径と略同一であり、かつ、前記ヘッド近傍部分の筒径より大きくなっている。このため、ヘッドが最下部にあるテイクバック始動時に第２のクリップに着接したワッシャーは、ヘッドが最上部にくるテイクバック終了時において、シャフトが水平面に対して略垂直である時に自重により第２のグリップを離脱し、シャフト上をグリップ方向に滑動・下降し、スイング動作を開始する前に第１のクリップに撞着音を発しつつ撞止する。使用者はテイクバック終了時に前記撞着音を聴取することにより、テイクバック終了時のクラブの立て位置が、正しいアップライト状態であることを確認することができる。
【００１４】
第１のクリップは全部または一部に磁石を有し、ワッシャーは全部または一部に磁性体を有し、テイクバック終了時に第１のクリップに磁力着接したワッシャーは、スイング動作の過程でヘッド方向に生じる遠心力が一定以上の大きさに達することにより前記第１のクリップから脱離し、シャフト上をヘッド方向に滑動し、第２のクリップに撞着音を発しつつ撞止する。使用者はインパクト直前で前記撞着音を聴取することにより、インパクト時のヘッドスピードを確認することができる。
【００１５】
前記第１のクリップは、磁力が異なる複数のクリップが用意されており、使用者の熟練度に応じて選択及び交換が可能であることを特徴とする。
【考案の効果】
【００１６】
テイクバック終了時に、シャフトが水平面に対して略垂直であるときにのみグリップ方向に滑動し、第１のクリップに撞着して音を発するため、使用者は該撞着音を聴取することにより、スイング開始時のシャフトがアップライトである状態を体得することができる。
【００１７】
テイクバック終了時に前記第１のクリップに磁力着接したワッシャーは、スイング動作の過程でヘッド方向に生じる遠心力が一定以上の大きさに達することによりヘッド方向に滑動し、第２のクリップに撞着して音を発するため、使用者はヘッドがインパクトゾーンにあるときに該撞着音を聴取し、ヘッドスピードを確認することができる。また、その直後のインパクトにより実際の飛距離を確認することができるため、効果を確認しつつ正しいフォームを体得することができる。
【００１８】
第１のクリップは、使用者の熟練度に応じて、磁力が異なる複数のものを選択して交換することが可能であるため、クリップを交換することにより自分のヘッドスピードを知り、実力の伸びを実感することができる。
【００１９】
自分のクラブを使用して、実際のインパクトを伴う練習をすることができるため、実戦感覚の練習が可能となる。
【図面の簡単な説明】
【００２０】
【図１】本実施形態の補助具を装着したゴルフクラブの正面図である。
【図２】本実施形態の補助具の斜視図である。（Ａ）第１のクリップ  （Ｂ）ワッシャー  （Ｃ）第２のクリップ
【図３】装着前の第１のクリップ、第２のクリップ及びワッシャーの軸方向断面図である。
【図４】テイクバック時のワッシャーの動きを示す経時変化図である。
【図５】スイング時のワッシャーの動きを示す経時変化図である。
【図６】スイング時にワッシャーの撞着音を聴取すべきヘッドの位置（インパクトゾーン）を示す絵図である。
【考案を実施するための形態】
【００２１】
本考案に係るゴルフ練習用補助具の実施形態について図を用いて説明する。まず、補助具の構成とゴルフクラブへの装着について説明する。
【００２２】
図１に示すように、本実施形態のゴルフ練習用補助具はシャフト６のグリップ４近傍に周着させる第１のクリップ１、シャフト６のヘッド５近傍に周着させる第２のクリップ２、及び２つのクリップ間に滑動可能に周着させるワッシャー３の３部品により構成され、各部品は後述するように着脱自在の構造となっている。
【００２３】
図２に示すように、各部品の形状はどれも円環体であり、第１のクリップ１と第２のクリップ２の内径は、スイングの動作によってクリップが動かないように、各クリップが周着するシャフト部分の直径と等しくなっている。一方、ワッシャー３の内径は、一定の重力又は遠心力によってシャフト上を滑動できるように、第１のクリップの内径よりも若干大きくなっている。
【００２４】
図３に示すように、各クリップ１，２及びワッシャー３は半環部１ａと半環部１ｂに分割されており、シャフト６への装着については、半環部１ｂの突起部１１が半環部１ａの突起受入部１２に嵌着されることにより一体となる。
【００２５】
本実施形態の材質については基本的に３部品とも硬性の樹脂製とする。第１のクリップ１は磁石を、また、ワッシャー３は磁性体を内蔵し(不図示)、互いに磁力着接が可能な構成になっている。
【００２６】
つぎに、本補助具の使用法と効果について説明する。
図４はテイクバック時のワッシャーの動きを示す経時変化図である。ワッシャー３は、前述したように内径が第１のクリップの内径よりも若干大きいため、テイクバック開始時（図４の（１））には、重力により第２のクリップ２に着接している。この位置からテイクバックの動作に入り、テイクバック終了時においてシャフト６がアップライトな状態、すなわち図４の（２）のようにシャフト６が水平面に対して垂直に近い状態になっていれば、スイング開始前にワッシャー３は自重により第２のグリップを離脱しグリップ方向（矢印方向)に滑動・下降し、第１のクリップ１に撞着音を発しつつ磁力着接する（図４の（３））。使用者は該撞着音を聴取できるよう練習することにより、正しいテイクバックを身に着けることができる。
【００２７】
図５はスイング時のワッシャー３の動きを示す経時変化図である。前述したように、正しいテイクバックにより第１のクリップ１に磁力着接したワッシャー３は、十分な遠心力を得た時にのみ磁力から解放され、ヘッド方向に滑動を開始し、第２のクリップに撞着して音を発する。磁力を振り切る遠心力を得るにはスイングの速さだけに依存せず、図６の絵図のように、ひじを曲げず腕を伸ばし、グリップ部分の回転半径を大きくすることが求められる。大きなスイングを行うことによりワッシャー３が動き、その証明として撞着音を聴取することができる。また、該撞着音は、図６のＰ地点(インパクトゾーン)で聴取できるように練習する。インパクト時に最大のヘッドスピードを得るためである。
【００２８】
第１のクリップ１は、磁力の強弱が異なる複数のクリップが用意されており、熟練度に応じて選択及び交換が可能である。使用者は、どのクリップを使用した時にワッシャーが動いて撞着音を発したかを知ることにより、目安として自分のスイングのヘッドスピードを知ることができる。本実施形態においては、以下の３種類のクリップが用意されている。
タイプ１・・・ヘッドスピード３０〜３５でワッシャーを脱離させる磁力
タイプ２・・・ヘッドスピード３５〜４５でワッシャーを脱離させる磁力
タイプ３・・・ヘッドスピード４５以上でワッシャーを脱離させる磁力
（ヘッドスピードの単位はメートル／秒）
【００２９】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。特に、第１のクリップ、第２のクリップ及びワッシャーの形状や材質、また、これらを着脱自在とするための構造については、様々な実施形態が可能であり、それらは本考案の技術的範囲に含まれるものと解する。
【符号の説明】
【００３０】
１    第１のクリップ
１ａ  半環部
１ｂ  半環部
１１  突起部
１２  突起受入部
２    第２のクリップ
３    ワッシャー
４    グリップ
５    ヘッド
６    シャフト
７    ボール
【図１】
0003198684.tif 000003
【図２】
0003198684.tif 000004
【図３】
0003198684.tif 000005
【図４】
0003198684.tif 000006
【図５】
0003198684.tif 000007
【図６】
0003198684.tif 000008